【手続補正書】
【提出日】平成19年8月16日(2007.8.16)
【手続補正１】
【補正対象書類名】特許請求の範囲
【補正対象項目名】全文
【補正方法】変更
【補正の内容】
【特許請求の範囲】
【請求項１】
Ｎ＋１本（Ｎは整数）の信号線を有する信号線の組と、
前記信号線の組の各信号線に接続されていて、前記信号線の組と共にＮ＋１本の信号経路の組を確立するＮ＋１個の受信器と、
Ｎ線バスと、
導線点検回路と、
前記Ｎ＋１本の信号経路内のスイッチと、前記スイッチ用の制御論理であって、前記組のＮ本の信号経路を前記Ｎ線バスへ、前記組の信号経路（ｎ）を前記導線点検回路へ選択的にルーティングする制御論理とを含み、（ｎ）があるパターンに従い変更されて前記Ｎ＋１本の信号経路の組の信号経路を選択的に点検する一方、前記組のＮ本の信号経路上で前記Ｎ線バスまでのデータフローを可能にする信号インターフェース。
【請求項２】
前記受信器が調整可能なクロック・ジェネレータにより生成された各受信クロック信号に応答的であって、前記導線点検回路が前記調整可能なクロック・ジェネレータを設定する、請求項１に記載の信号インターフェース。
【請求項３】
前記受信器が調整可能なクロック・ジェネレータにより生成された各受信クロック信号に応答的であって、前記導線点検回路が、前記導線点検回路に接続された信号経路上の較正データパターンに応答して、前記調整可能なクロック・ジェネレータを設定する、請求項１に記載の信号インターフェース。
【請求項４】
前記制御論理が、第一の特定信号経路を前記導線点検回路へのルーティングから前記Ｎ線バス内の１本の導線へのルーティングに、第二の特定信号経路を前記Ｎ線バス内の前記１本の導線へのルーティングから前記導線点検回路へのルーティングに切り替え変更するためのスイッチを制御することにより、安定化期間中は前記第一および第二の特定信号経路が共に前記Ｎ線バス内の前記１本の導線へルーティングされ、次いで安定化期間経過後に、前記第二の特定信号経路が前記導線点検回路に接続される、請求項１に記載の信号インターフェース。
【請求項５】
前記制御論理が、前記パターンを前記Ｎ線バス用のデータ源に合わせて調整する論理を含む、請求項１に記載の信号インターフェース。
【請求項６】
前記Ｎ＋１個の受信器、前記Ｎ線バス、前記導線点検回路、および前記スイッチが、単一の集積回路の構成要素を構成する、請求項１に記載の信号インターフェース。
【請求項７】
前記Ｎ＋１個の受信器の電力を抑制する一方、前記信号経路の組の信号経路の選択的点検を継続する論理を含む、請求項１に記載の信号インターフェース。
【請求項８】
前記Ｎ＋１個の受信器が、１００メガへルツを超えるデータ速度でデータを受信すべく適合されている、請求項１に記載の信号インターフェース。
【請求項９】
前記Ｎ＋１個の受信器、前記Ｎ線バス、前記導線点検回路、および前記スイッチが、単一の集積回路の構成要素を構成し、前記Ｎ＋１個の受信器が、前記集積回路外部の信号源から１００メガヘルツを超えるデータ速度でデータを受信すべく適合されている、請求項１に記載の信号インターフェース。
【請求項１０】
信号源同期クロックを受信すべく適合された追加的な信号線を更に含む、請求項１に記載の信号インターフェース。
【請求項１１】
Ｎ線バスと、
Ｎ＋１本（Ｎは整数）の信号線を有する信号線の組と、
前記信号線の組の各信号線に接続されていて、前記信号線の組と共にＮ＋１本の信号経路の組を確立するＮ＋１個の送信器と、
導線点検回路と、
前記Ｎ＋１本の信号経路内のスイッチおよび前記スイッチ用の制御論理であって、前記組のＮ本の信号経路を前記Ｎ線バスから前記信号線の組のＮ本の信号線へ選択的にルーティングし、前記組の信号経路（ｎ）を前記導線点検回路から前記信号線の組の信号線（ｎ）へルーティングする制御論理とを含み、（ｎ）があるパターンに従い変更されて前記Ｎ＋１本の信号経路の組の信号経路に対して選択的な点検を実行する一方、前記組のＮ本の信号経路上で前記Ｎ線バスからのデータフローを可能にする信号インターフェース。
【請求項１２】
前記パターンが周期的パターンを含む、請求項１または請求項１１に記載の信号インターフェース。
【請求項１３】
前記Ｎ＋１本の信号経路の組が、論理的に経路０〜Ｎとして識別される信号経路を含み、且つ前記パターンが、０に等しい（ｎ）から始まって（ｎ）がＮに等しくなるまで増加し、次いで（ｎ）が０に等しくなるまで減少する反復パターンを含む、請求項１または請求項１１に記載の信号インターフェース。
【請求項１４】
前記導線点検回路が、受信クロック信号の較正に適合された信号パターンを生成する較正信号源を含む、請求項１１に記載の信号インターフェース。
【請求項１５】
前記導線点検回路が、受信クロック信号の較正に適合された疑似ランダム信号パターンを生成する較正信号源を含む、請求項１１に記載の信号インターフェース。
【請求項１６】
前記制御論理が、第一の特定信号経路を前記導線点検回路からのルーティングから前記Ｎ線バス内の１本の導線からのルーティングに、第二の特定信号経路を前記Ｎ線バス内の前記１本の導線からのルーティングから前記導線点検回路からのルーティングに切り替え変更するためのスイッチを制御することにより、安定化期間中は前記第一および第二の特定信号経路が共に前記Ｎ線バス内の前記１本の導線からルーティングされ、次いで安定化期間経過後に、前記第二の特定信号経路が前記導線点検回路からルーティングされる、請求項１１に記載の信号インターフェース。
【請求項１７】
前記制御論理が、前記パターンを前記Ｎ線バス用のデータ宛先に合わせて調整する論理を含む、請求項１１に記載の信号インターフェース。
【請求項１８】
前記Ｎ＋１個の送信器、前記Ｎ線バス、前記導線点検回路、および前記スイッチが、単一の集積回路の構成要素を構成する、請求項１１に記載の信号インターフェース。
【請求項１９】
前記Ｎ＋１個の送信器の電力を抑制する一方、前記Ｎ＋１本の信号経路の組の信号経路の選択的点検を継続する論理を含む、請求項１１に記載の信号インターフェース。
【請求項２０】
前記Ｎ＋１個の送信器が、１００メガへルツを超えるデータ速度でデータを送信すべく適合されている、請求項１１に記載の信号インターフェース。
【請求項２１】
前記Ｎ＋１個の送信器、前記Ｎ線バス、前記導線点検回路、および前記スイッチが、単一の集積回路の構成要素を構成し、前記Ｎ＋１個の送信器が、前記集積回路外部の宛先へ１００メガヘルツを超えるデータ速度でデータを送信すべく適合されている、請求項１１に記載の信号インターフェース。
【請求項２２】
信号源同期クロックを送信すべく適合された追加的な信号線を更に含む、請求項１１に記載の信号インターフェース。
【請求項２３】
Ｎ本（Ｎは整数）のバス線を有するパラレルバス用の高速通信インターフェースを管理する方法であって、
Ｎ＋１本の通信線を確立するステップと、
前記Ｎ＋１本の通信線の通信線（ｎ）に対して点検動作を実行して、前記Ｎ本のバス線から前記Ｎ＋１本の通信線のＮ本への経路を有効にするステップと、
前記Ｎ＋１本の通信線の通信線（ｎ）に対して点検動作を実行した後で、（ｎ）を変更して、前記Ｎ＋１本の通信線の次の通信線に対して点検動作を実行するステップとを含む方法。
【請求項２４】
前記点検動作の実行が、
通信線（ｎ）上で、較正信号源から較正信号を送信するステップと、
前記Ｎ＋１本の通信線の前記通信線（ｎ）上で前記較正信号を受信するステップと、
前記較正信号に応答して、前記Ｎ＋１本の通信線の通信線（ｎ）に関連付けられたパラメータを較正するステップとを含む、請求項２３に記載の方法。
【請求項２５】
前記Ｎ本のバス線からデータを送信する一方、通信線（ｎ）上で点検動作を実行するステップを含む、請求項２３に記載の方法。
【請求項２６】
前記Ｎ本の通信線上の受信器および送信器の少なくとも１個において電力消費が低下した状態に入る一方、通信線（ｎ）に対して点検動作を実行するステップを含む、請求項２３に記載の方法。
【請求項２７】
第一の特定通信線を、前記点検動作の対象から、前記Ｎ線バスの１本の導線からの通信状態へ、第二の特定通信線を、前記Ｎ線バスの前記１本の導線からの通信状態から、前記点検動作の対象へ切替えるべく（ｎ）を変更するために、安定化期間中は前記第一および第二の特定通信線を共に前記Ｎ線バスの導線からルーティングし、次いで、安定化期間経過後に、前記第二の特定通信線に対して前記点検動作を実行する、請求項２３に記載の方法。
【請求項２８】
連続する周期的パターンに従い（ｎ）を変更するステップを含む、請求項２３に記載の方法。
【請求項２９】
前記Ｎ＋１個の通信線の組が、論理的に経路０〜Ｎとして識別される通信線を含み、０に等しい（ｎ）から始まって（ｎ）がＮに等しくなるまで増加し、次いで（ｎ）が０に等しくなるまで減少する反復パターンに従い（ｎ）を変更するステップを含む、請求項３７に記載の方法。
【請求項３０】
前記点検動作の実行が、通信線（ｎ）上の信号源から較正信号を送信するステップを含み、前記較正信号が、受信クロック信号の較正に適合された信号パターンを含む、請求項２３に記載の方法。
【請求項３１】
前記点検動作の実行が、通信線（ｎ）上の信号源から較正信号を送信するステップを含み、前記較正信号が、受信クロック信号の較正に適合された擬似ランダム信号パターンを含む、請求項２３に記載の方法。
【請求項３２】
信号源同期クロックを提供するステップを更に含む、請求項２３に記載の方法。
【請求項３３】
信号線の組と、
前記信号線の組の各信号線に接続された受信器の組と、
バス線の組を含むバスと、
導線点検回路と、
前記受信器の組、前記バス、および前記導線点検回路に接続されたスイッチならびに前記スイッチ用の制御論理であって、前記受信器の組の受信器群からの並列信号を前記バス線の組のバス線群および前記導線点検回路へ選択的にルーティングする制御論理とを含み、前記導線点検回路へルーティングされた前記受信器の組の受信器群があるパターンに従い変更されて前記信号線の組にわたる信号経路を選択的に点検する信号インターフェース。
【請求項３４】
集積回路上の送信回路であって、
導線点検信号を出力する導線点検回路と、
第一の組の信号および前記導線点検信号を受信して第二の組の信号を出力すべく接続された送信器の組において、前記第二の組の信号が前記第一の組の信号および前記点検信号を含む送信器の組と、
前記第一の組の信号および前記導線点検信号を並列に前記送信器の組へ選択的にルーティングすべく、前記送信器の組に接続されたスイッチと、前記スイッチ用の制御論理とを含み、前記導線点検回路によりルーティングされる前記送信器の組の送信器があるパターンに従い変更されて、前記送信器の組からの前記第二の信号の組を選択的に点検して、前記点検信号を較正信号として使用可能にする送信回路。